(57)【要約】【課題】  ミシンの編集画面の操作性の向上を図る【解決手段】  刺繍ミシン１において、タッチパネル５２を具備する操作パネル５の液晶ディスプレイ５１中に表示される編集ボタン５５，５６，５７が押下された際に、当該押下された編集ボタン５５，５６，５７を拡大した拡大画面５１ｂ、５１ｃ、５１ｄを表示するようにした。また、この拡大画面５１ｂ、５１ｃ、５１ｄにおいて、所定の領域を実行ボタンとして割り当て、当該押下された領域に対応する編集機能に従って模様が編集され、編集後の模様が液晶ディスプレイ５１に表示されるようにした。これにより、小さな編集ボタン５５，５６，５７を操作することで直接編集作業を行うことなく、拡大された画面で容易に編集を行うことができる。【選択図】図４
2007282780.tif 000002
【特許請求の範囲】
【請求項１】
縫製可能な複数の縫製模様の各々について縫いデータを記憶する縫いデータ記憶手段と、
前記各縫いデータの中から所望の縫製模様を選択可能な模様選択手段と、
前記模様選択手段により選択された縫製模様を表示する表示画面を含む表示手段と前記表示画面に設けられ、押下位置を検知する検知手段を有するタッチパネルとを備えるタッチスクリーンと、
前記表示画面に、前記選択された縫製模様に対して所定の編集作業の実行を入力するための一又は二以上の編集ボタンを表示するように前記タッチスクリーンを制御する表示制御手段と、
前記選択された縫製模様の縫いデータを編集後の縫製模様に応じて更新するデータ更新手段とを備え、
前記表示制御手段は、何れか一つの前記編集ボタンが押下されると、当該押下された編集ボタンの拡大画面を表示すると共に、当該編集ボタンによる編集作業に付随して入力が必要となる入力操作を実行させる実行ボタンとして前記拡大画面の一部を割り当てる処理を行い、前記編集ボタンと実行ボタンの入力に従って縫製模様を編集し、該編集後の画面を表示画面中に再表示することを特徴とするミシン。
【請求項２】
前記編集ボタンの一つは、一列に配列された模様列の並び方向の傾斜角度を変更させる編集作業の実行を入力するためのものであり、当該編集作業に付随する実行ボタンは傾斜角度の変更調節の実行を入力するためのものであることを特徴とする請求項１記載のミシン。
【請求項３】
前記編集ボタンの一つは、一列に配列された模様列の並び方向を湾曲又は屈曲させる編集作業の実行を入力するためのものであり、当該編集作業に付随する実行ボタンは湾曲角度又は屈曲角度の変更調節の実行を入力するためのものであることを特徴とする請求項１又は２記載のミシン。
【請求項４】
前記表示制御手段は、前記編集ボタンの拡大画面を表示する際に、当該拡大画面に併設して前記編集ボタンの機能又は当該編集ボタンに付随する実行ボタンの機能を示す説明文を表示するように前記タッチスクリーンを制御することを特徴とする請求項１から３の何れか一項に記載のミシン。
【発明の詳細な説明】
【技術分野】
【０００１】
本発明は、ミシンに関し、特に、縫製模様を編集可能に表示する表示装置を有するミシンに関する。
【背景技術】
【０００２】
従来から、縫製可能な模様を画面に表示する表示装置を具備するミシンが知られている（例えば、特許文献１参照）。
かかるミシンは、表示画面と操作用のタッチパネルとが一体となった操作パネルを有し、表示画面上に表示される各種の編集ボタンを押下することで縫製模様の選択、拡大、縮小或いは回転等の編集が可能となっている。そして、近年ではこれらの編集機能が豊富になってきている。
【特許文献１】特開２００１−００９１８０号公報
【発明の開示】
【発明が解決しようとする課題】
【０００３】
しかしながら、上記ミシンにおいては、模様を編集するための各種機能の増加に伴い表示画面の一画面中に表示される各種設定ボタンの数が増加する傾向にある。つまり、編集機能の多機能化により設定可能な多数の編集ボタンが同一画面中に表示されるため、各々の編集ボタンが小さく表示されることとなる。このため、縫製模様を編集する際に非常に操作しづらいという問題があった。また、各編集ボタンが小さく表示される結果、当該編集ボタンの機能を模式的に示す図形も小型化されて表示されるため、ミシンの作業者にあっては何れの編集ボタンがどのような機能を有するのか非常に分かりづらいという問題があった。
【０００４】
本発明は、ミシンの編集画面の操作性の向上を図ることをその目的とする。
【課題を解決するための手段】
【０００５】
上記課題を解決するため、請求項１記載の発明は、縫製可能な複数の縫製模様の各々について縫いデータを記憶する縫いデータ記憶手段と、前記各縫いデータの中から所望の縫製模様を選択可能な模様選択手段と、前記模様選択手段により選択された縫製模様を表示する表示画面を含む表示手段と前記表示画面に設けられ、押下位置を検知する検知手段を有するタッチパネルとを備えるタッチスクリーンと、前記表示画面に、前記選択された縫製模様に対して所定の編集作業の実行を入力するための一又は二以上の編集ボタンを表示するように前記タッチスクリーンを制御する表示制御手段と、前記選択された縫製模様の縫いデータを編集後の縫製模様に応じて更新するデータ更新手段とを備え、前記表示制御手段は、何れか一つの前記編集ボタンが押下されると、当該押下された編集ボタンの拡大画面を表示すると共に、当該編集ボタンによる編集作業に付随して入力が必要となる入力操作を実行させる実行ボタンとして前記拡大画面の一部を割り当てる処理を行い、前記編集ボタンと実行ボタンの入力に従って縫製模様を編集し、該編集後の画面を表示画面中に再表示することを特徴とするミシンである。
【０００６】
請求項２記載の発明は、請求項１記載の発明において、前記編集ボタンの一つは、一列に配列された模様列の並び方向の傾斜角度を変更させる編集作業の実行を入力するためのものであり、当該編集作業に付随する実行ボタンは傾斜角度の変更調節の実行を入力するためのものであることを特徴とする。
【０００７】
請求項３記載の発明は、請求項１又は２記載の発明において、前記編集ボタンの一つは、一列に配列された模様列の並び方向を湾曲又は屈曲させる編集作業の実行を入力するためのものであり、当該編集作業に付随する実行ボタンは湾曲角度又は屈曲角度の変更調節の実行を入力するためのものであることを特徴とする。
【０００８】
請求項４記載の発明は、請求項１から３の何れか一項に記載の発明において、前記表示制御手段は、前記編集ボタンの拡大画面を表示する際に、当該拡大画面に併設して前記編集ボタンの機能又は当該編集ボタンに付随する実行ボタンの機能を示す説明文を表示するように前記タッチスクリーンを制御することを特徴とする。
【発明の効果】
【０００９】
請求項１記載の発明によれば、表示制御手段により、タッチスクリーンの表示画面上に表示された複数の編集ボタンのうち何れか一つの編集ボタンが押下されると、当該押下された編集ボタンの拡大画面が表示されると共に、その拡大画面の一部が実行ボタンとして割り当てられる。つまり、表示画面に表示される一又は二以上の編集ボタンによってそれぞれ実行される編集作業は、当該各編集ボタンを押下した際に表示される拡大画面中の実行ボタンを操作することで実行される。これにより、例えば、複数の編集作業が割り当てられている編集ボタンを操作する場合に、当該編集ボタンを拡大表示した拡大画面中の実行ボタンを操作することで容易に編集作業を実行することができる。すなわち、縫製模様を編集する際の誤操作を防止することが出来ると共に操作性を向上することができる。
また、実行ボタンが押下されると、表示制御手段によって縫製模様が編集され、該編集後の画面が表示画面中に再表示される。これにより、全体の編集状況を容易に把握することができるため、編集画面の操作性のさらなる向上が図られる。
【００１０】
請求項２記載の発明によれば、請求項１記載の発明と同様の効果を得ることができる他、特に、表示制御手段は、実行ボタンが押下された際に、一列に配列された模様列の並び方向の傾斜角度を変更して表示画面に再表示することができる。
【００１１】
請求項３記載の発明によれば、請求項１又は請求項２記載の発明と同様の効果を得ることができる他、特に、表示制御手段は、実行ボタンが押下された際に、一列に配列された模様列の並び方向の湾曲角度又は屈曲角度を変更して表示画面中に再表示することができる。
【００１２】
請求項４記載の発明によれば、請求項１から請求項３の何れか一項に記載の発明と同様の効果を得ることができる他、特に、表示制御手段は、編集ボタンの拡大画面を表示する際に、当該拡大画面に併設して編集ボタンの機能又は当該編集ボタンに付随する実行ボタンの機能を示す説明文を表示することができる。これにより、作業者が編集操作を行う際の操作性をさらに向上することができる。
【発明を実施するための最良の形態】
【００１３】
以下、本発明を実施するための最良の形態について図１乃至図１３を用いて詳しく説明する。但し、以下に述べる実施形態には、本発明を実施するために技術的に好ましい種々の限定が付されているが、発明の範囲を以下の実施形態及び図示例に限定するものではない。
【００１４】
（刺繍ミシンの構成）
図１、図２に示すように、刺繍ミシン１は、下部に位置するミシンベッド１１と、ミシンベッド１１の一端部から上方に立ち上げられたミシン胴部１２と、ミシン胴部１２の上方からミシンベッド１１に沿うように延設されたミシンアーム１３と、を備えている。
【００１５】
また、刺繍ミシン１は、ミシンアーム１３の先端側となるミシン頭部１３ａ（図１におけるミシンアーム１３の左端部）の下方において上下動可能に支持された縫い針１４と、ミシン頭部１３ａの下部に設けられ、縫い針１４を支持すると共に縫い針１４を上下に駆動する針駆動機構１５と、縫い針１４と共に針駆動機構１５に支持され、刺繍縫製時に縫い針１４と共に上下動する布押さえ１６と、縫い針１４の下方に設置され、縫い針１４に対して垂直な平面に沿って被縫製物たる布地を張設状態で保持する刺繍枠１７と、ミシンベッド１１の対向位置に設けられ、刺繍枠１７を縫い針１４に垂直な面に沿って駆動する枠移動機構１８と、刺繍ミシン１の動作に関する指示や設定を入力すると共に指示に必要な情報や現在状態の表示を行う操作パネル５と、を備えている。
【００１６】
図１に示すミシンアーム１３の左端のミシン頭部１３ａには、縫製を起動・停止するための起動／停止スイッチ(以下、Ｓ／Ｓスイッチと略称する)２０と、返し縫いを行うために指示入力を行うための返し縫いスイッチ２１と、縫製後の糸切りを指示入力するための糸切りスイッチ２２と、縫製の速度を調整するためのスライドボリューム２３とが、下方から順番に並んで設けられている。
【００１７】
また、刺繍ミシン１は、操作パネル５、Ｓ／Ｓスイッチ２０、返し縫いスイッチ２１、糸切りスイッチ２２及びスライドボリューム２３から入力される信号に基づき、針駆動機構１５、枠移動機構１８及び操作パネル５を制御するマイクロコンピュータ６と、マイクロコンピュータ６にとって読取可能なプログラム、データ等を格納した記憶部６３とを備えている（図２参照）。
【００１８】
なお、本実施形態では、縫い針１４が上下動を行う方向をＺ軸方向とし、刺繍枠１７が枠移動機構１８により図１における左右方向に移動される方向（相互に垂直な二方向の内の一方）をＸ軸方向とし、刺繍枠１７が枠移動機構１８により図１における前後方向に移動される方向をＹ軸方向（相互に垂直な二方向の内の他方）として、以下の説明を行うこととする。
【００１９】
（針駆動機構）
針駆動機構１５は、駆動源となるミシンモータ２４（図２に図示）と、ミシンモータ２４の回転出力を縫い針１４の上下動に変換する図示しないクランク機構とを備えている。ミシンモータ２４の作動・停止のタイミングはマイクロコンピュータ６によって制御され、更にミシンモータ２４の回転速度がマイクロコンピュータ６によって制御されることで縫い針１４の上下動の周期が制御される。また、マイクロコンピュータ６は、上記スライドボリューム２３の設定に従ってミシンモータ２４の回転速度を制御するようになっている。
【００２０】
（刺繍枠）
刺繍枠１７は、略長方形状を成す外枠と、該外枠と同様に略長方形をなし外枠に嵌め込み可能な内枠とからなる布保持手段として設けられている。かかる刺繍枠１７は、布地が内枠に張った状態で内枠と外枠の間に挟み込まれ、その枠の内側に布地の略長方形状の平面領域が形成されており、この平面領域が縫製可能領域Ｍ（図１１（ｃ）参照）となっている。また、刺繍枠１７は、大中小の三サイズのものが選択的に装着可能であり、このような刺繍枠のサイズごとに縫製可能領域Ｍが定まるようになっている。なお、図１に示す刺繍枠１７は最大サイズのものである。
【００２１】
（枠移動機構）
枠移動機構１８は、ミシンベッド１１の上面においてＸ軸方向に往復移動可能に支持されたキャリッジ２５と、該キャリッジ２５をＸ軸方向に駆動するＸ軸モータ２６（図２参照）と、キャリッジ２５にＹ軸方向に往復移動可能に支持された刺繍枠装着部２７と、刺繍枠装着部２７を介して刺繍枠１７をＹ軸方向に駆動するＹ軸モータ２８（図２参照）とを備えた移動手段として設けられている。また、枠移動機構１８は、Ｘ軸モータ２６の回転出力をキャリッジ２５の直動方向の動力に変換可能に設けられ、更にＹ軸モータ２８の回転出力を刺繍枠装着部２７の直動方向の動力に変換可能に設けられている。つまり、枠移動機構１８は、キャリッジ２５の移動と刺繍枠装着部２７の移動との協働により刺繍枠１７をＸ−Ｙ平面（縫い針１４に直行する平面）に沿って自在に移動する。従って、刺繍枠１７が移動するＸ−Ｙ平面上の或る位置は、互いに直交するＸ軸及びＹ軸で定められたＸＹ座標系で表される。
【００２２】
Ｘ軸モータ２６とＹ軸モータ２８とはいずれもステッピングモータであり、微小角度単位で駆動する回転角度を制御することが可能である。各モータ２６，２８の作動・停止のタイミングはマイクロコンピュータ６によって制御される。また、各モータ２６，２８の回転速度はマイクロコンピュータ６によって制御される。具体的には、縫い針１４の１回の上下動当たりの各モータ２６，２８の回転角度がマイクロコンピュータ６によって制御され、これにより刺繍枠１７が各軸方向に移動し、縫い針１４の相対的な針落ち位置が決まる。
【００２３】
また、刺繍枠装着部２７には、刺繍枠センサ２９（図２に図示）が設けられている。刺繍枠センサ２９は、刺繍枠装着部２７に装着される刺繍枠のサイズ（種類）を検出するものである。刺繍枠装着部２７に最大サイズの刺繍枠１７が装着された場合には、最大サイズを表す信号が刺繍枠センサ２９からマイクロコンピュータ６に出力され、刺繍枠装着部２７に中サイズの刺繍枠が装着された場合には、中サイズを表す信号が刺繍枠センサ２９からマイクロコンピュータ６に出力され、刺繍枠装着部２７に最小サイズの刺繍枠が装着された場合には、最小サイズを表す信号が刺繍枠センサ２９からマイクロコンピュータ６に出力されるようになっている。
【００２４】
（操作パネル）
図２に示すように、操作パネル５は、マイクロコンピュータ６の表示信号に従った表示を行う表示画面としての液晶ディスプレイ５１と、該液晶ディスプレイ５１の表示面上に重ねて設けられた透明感圧スイッチであるタッチパネル５２とを備えており、本実施形態におけるタッチスクリーンとして機能する表示装置である。
タッチパネル５２は、その表面上において作業者の指等により接触若しくは押下された場合に、その接触位置（押下位置）を検知する検知手段を具備すると共に、当該接触位置（押下位置）に応じた操作信号をマイクロコンピュータ６に出力する機能を備えている。
液晶ディスプレイ５１は、マイクロコンピュータ６の表示信号に従って操作画面中に各種のスイッチ（アイコン）を表示する表示手段として機能する。そして、後述するマイクロコンピュータ６は、タッチパネル５２の出力を受けていずれの位置に接触されたかを認識すると共にその際に液晶ディスプレイ５１に表示されているいずれのスイッチに対する操作入力であるかを照合することで、作業者がいずれの操作を行っているかを認識する。
【００２５】
（記憶部）
記憶部６３は、磁気的記憶媒体、光学的記憶媒体又は半導体メモリを有しており、これら磁気的記憶媒体、光学的記憶媒体又は半導体メモリにはプログラム及びデータが予め格納されている。記憶部６３に記憶されているプログラムは、マイクロコンピュータ６が読取可能なプログラムコードの形態で格納され、当該プログラムコードに従った動作がマイクロコンピュータ６の制御下にて逐次実行される。
この記憶部６３に記憶されるデータとしては、縫製可能な複数の縫製模様の各々についての縫いデータがあり、縫製模様ごとに、一針ごとの針落ちに対して刺繍枠１７のＸＹ座標が対応付けられている。つまり、記憶部６３は、縫製可能な複数の縫製模様の各々について縫いデータを記憶する本実施形態における縫いデータ記憶手段として機能する。また、記憶部６３に記憶されるデータとして、刺繍枠の種類ごとに対応付けられた領域データがある。領域データとは、その領域データに対応付けられた上述した刺繍枠の縫製可能領域Ｍを表すものである。
【００２６】
（マイクロコンピュータ）
マイクロコンピュータ６は、ＣＰＵ（Central Processing Unit）、ＲＡＭ（Random Access Memory）等を具備する制御装置である。このマイクロコンピュータ６は、図２に示すように、操作パネル５、Ｓ／Ｓスイッチ２０、返し縫いスイッチ２１、糸切りスイッチ２２、スライドボリューム２３及び刺繍枠センサ２９から入力された信号に応じて処理を行い、記憶部６３に記憶されたプログラムに従って針駆動機構１５の駆動源たるミシンモータ２４や、枠移動機構１８の駆動源たるＸ軸モータ２６、Ｙ軸モータ２８、及び操作パネル５の動作を集中制御する。
【００２７】
また、マイクロコンピュータ６は、記憶部６３に記憶されたプログラムに従って以下のように機能する。
すなわち、マイクロコンピュータ６は、操作パネル５を制御することで、図３に示す編集画面５１ａ（後述する）や縫製可能な複数種類の縫製模様を液晶ディスプレイ５１に表示させる表示手段として機能する。また、マイクロコンピュータ６は、タッチパネル５２から入力した操作信号により記憶部６３に記憶された上記複数種類の縫製模様の縫いデータの中から所望の縫製模様を選択することを可能とする模様選択手段として機能する。また、マイクロコンピュータ６は、模様選択手段として、図１２及び図１３に示すアルファベットやひらがな等の文字群から一又は二以上の文字を縫製模様として選択可能とすると共に、表示手段として、これら選択された文字を一列に配列した文字列（例えば、ＡＢＣＤ、ＳＴＡＲ・・・等）すなわち模様列を液晶ディスプレイ５１に表示する。また、マイクロコンピュータ６は、上記選択された縫製模様に対して所定の編集作業の実行を入力するための各編集ボタン５５，５６，５７を液晶ディスプレイ５１に表示するように操作パネル（タッチスクリーン）５を制御する表示制御手段として機能する。本実施形態では、編集画面５１ａ内に各編集ボタン５５，５６，５７が表示される。
【００２８】
さらに、本実施形態におけるマイクロコンピュータ６は、表示制御手段として、各編集ボタン５５，５６，５７のうち何れか一つのボタンが押下されると、当該押下されたボタンの拡大画面５１ｂ、５１ｃ、５１ｄ（後述する）を液晶ディスプレイ５１に表示すると共に、各拡大画面５１ｂ，５１ｃ，５１ｄの一部を各編集ボタン５５，５６，５７による編集作業に付随して入力が必要となる入力操作を実行させる実行ボタン５８，５８ａ，５８ｂ，５９，５９ａ，５９ｂとして割り当てる処理を行う（図４，図５及び図６参照）。
【００２９】
また、マイクロコンピュータ６は、各編集ボタン５５，５６，５７の拡大画面５１ｂ、５１ｃ、５１ｄを表示する際に、当該拡大画面５１ｂ、５１ｃ、５１ｄの上方及び下方に併設して編集ボタン５５，５６，５７の機能又は当該編集ボタン５５，５６，５７に付随する各実行ボタン５８，５８ａ，５８ｂ，５９，５９ａ，５９ｂの機能を示す説明文を表示するように操作パネル（タッチスクリーン）５を制御する（図４、図５及び図６参照）。
【００３０】
また、マイクロコンピュータ６は、各編集ボタン５５，５６，５７と各実行ボタン５８，５８ａ，５８ｂ，５９，５９ａ，５９ｂの入力に従って縫製模様を編集し、該編集後の画面を液晶ディスプレイ５１に再表示するように操作パネル５を制御する。つまり、マイクロコンピュータ６は、模様選択手段として選択した縫製模様（文字列）の縫いデータを、編集後の縫製模様に応じて更新するデータ更新手段として機能するものである。
【００３１】
ここで、図３〜図６を参照して液晶ディスプレイ５１に表示される編集画面５１ａ及び拡大画面５１ｂ、５１ｃ、５１ｄについて説明する。
図３に示すように、編集画面５１ａには、模様選択ボタン５３や文字選択ボタン５４の他に、編集ボタン５５，５６，５７や模様表示部５１０が設けられている。
模様選択ボタン５３は、各種縫い目模様や刺繍模様等の模様群（図示略）から所望の模様を選択するための図示しない模様選択画面を表示させるためのボタンであり、文字選択ボタン５４は、アルファベットやひらがな等の文字群（図１２及び図１３参照）から所望の文字を選択するために図１２又は図１３に示す文字選択画面５１ｄを表示させるためのボタンである。また、模様表示部５１０は、模様選択画面や文字選択画面５１ｄで選択された文字列（模様列）を液晶ディスプレイ５１上に編集可能に表示する表示部である。
そして、編集ボタン５５，５６，５７は、模様選択画面や文字選択画面５１ｄにおいて選択された模様列や文字列の並び方向の傾斜角度を変更させたり、該並び方向を屈曲或いは湾曲させたりする編集作業を行うためのボタンである。具体的に、本実施形態では編集画面５１ａ中に表示される編集ボタン５５が押下されると図４に示す拡大画面５１ｂが表示され、編集ボタン５６が押下されると図５に示す拡大画面５１ｃが表示され、編集ボタン５７が押下されると図６に示す拡大画面５１ｄが表示される。
【００３２】
図４に示す拡大画面５１ｂは、編集ボタン５５の図形（アイコン）がそのまま拡大された図形である。この拡大画面５１ｂにおける上下方向の中央部には、水平方向に並んで文字列Ａ，Ｂ，Ｃ及びＤが表示されている。また、この文字列の上方には選択された文字列を上方に屈曲する編集作業を行うことを示す矢印５１２が表示され、文字列の下方には選択された文字列を下方に屈曲する編集作業を行うことを示す矢印５１３が表示されるようになっている。
さらに、本実施形態では、矢印５１２を含む拡大画面５１ｂの上部の領域が、選択された文字列を後述する編集処理Ａにより上方に屈曲させるための入力ボタンすなわち実行ボタン５８として割り当てられている。また、矢印５１３を含む拡大画面５１ｂの下部の領域は、選択された文字列を編集処理Ａにより下方に屈曲させるための入力ボタンすなわち実行ボタン５９として割り当てられている。また、拡大画面５１ｂに併設して該拡大画面５１ｂの上方及び下方には、それぞれ、矢印５１２及び５１３を押下した際の編集機能を作業者に示す説明文（例えば、「矢印方向に変形します」）が表示されるようになっている。
そして、これら拡大画面５１ｂ及び説明文は、編集ボタン５５から引き出され編集画面５１ａに重ねて表示された吹き出し画面中に表示される。また、吹き出し画面には、拡大画面５１ｂの表示を終了して編集画面５１ａに戻るための戻るボタン５１１が設けられている。この戻るボタン５１１が押下されると、編集処理Ａにより編集された模様の縫いデータが記憶部６３内に新たに記憶される。
【００３３】
図５に示す拡大画面５１ｃは、拡大画面５１ｂと同様に、編集ボタン５６がそのまま拡大された図形であって、編集ボタン５６から引き出された吹き出し画面中に表示されるようになっている。この拡大画面５１ｃの一部すなわち矢印５１４を含む上部の領域は、後述する編集処理Ｂにより模様表示部５１０に表示される文字列の並び方向の傾斜角度を文字列の右端を中心に時計回り方向に回転せる実行ボタン５８ａとして割り当てられている。また、拡大画面５１ｃの一部すなわち矢印５１５を含む下部の領域は、編集処理Ｂにより上記文字列の並び方向の傾斜角度を文字列の右端を中心に反時計回り方向に回転させる実行ボタン５９ａとして割り当てられている。また、拡大画面５１ｃが表示される吹き出し画面には、拡大画面５１ｃの上方及び下方に併設して矢印５１４及び５１５を押下した際の編集機能を示す説明文（例えば、「矢印方向に変形します」）と、拡大画面５１ｃの表示を終了して編集画面５１ａに戻るための戻るボタン５１１が設けられている。この戻るボタン５１１が押下されると、編集処理Ｂにより編集された模様の縫いデータが記憶部６３内に新たに記憶される。
【００３４】
図６に示す拡大画面５１ｄは、編集ボタン５７がそのまま拡大された図形であって、編集ボタン５７から引き出された吹き出し画面中に表示されるようになっている。この拡大画面５１ｄの一部すなわち矢印５１６を含む上部の領域は、後述する編集処理Ｃにより模様表示部５１０に表示される文字列の並び方向の傾斜角度を文字列の左端を中心に反時計回り方向に回転せる実行ボタン５８ｂとして割り当てられている。また、拡大画面５１ｄの一部すなわち矢印５１７を含む下部の領域は、編集処理Ｃにより上記文字列の並び方向の傾斜角度を文字列の左端を中心に時計回り方向に回転させる実行ボタン５９ｂとして割り当てられている。また、拡大画面５１ｄが表示される吹き出し画面には、拡大画面５１ｄの上方及び下方に併設して矢印５１６及び５１７を押下した際の編集機能を示す説明文（例えば、「矢印方向に変形します」）と、拡大画面５１ｄの表示を終了して編集画面５１ａに戻るための戻るボタン５１１が設けられている。この戻るボタン５１１が押下されると、編集処理Ｃにより編集された模様の縫いデータが記憶部６３内に新たに記憶される。
【００３５】
（刺繍ミシンの動作）
次に、刺繍ミシン１の動作について説明する。
作業者が刺繍枠１７に布地をセッティングし、刺繍ミシン１を起動させると、マイクロコンピュータ６が記憶部６３に格納されたプログラムを読み込み、そのプログラムに従って図７〜図９のフローチャートに示すように処理を行う。
【００３６】
図７に示すように、まず、マイクロコンピュータ６が液晶ディスプレイ５１に表示信号を出力し、その表示信号に従って液晶ディスプレイ５１が表示動作を行うことで、図３に示す編集画面５１ａが表示される。
次に、縫製模様の選択を行う（ステップＳ１０１）。縫製模様の選択は、模様選択ボタン５３を押下することで表示される図示しない模様選択画面、或いは文字選択ボタン５４を押下することで表示される文字選択画面５１ｄ（図１２及び図１３参照）において行われる。本実施形態では、例として、図１２に示す文字選択画面（アルファベット）５１ｄから、「ＳＴＡＲ」の４文字からなる文字列を選択することとする（図１２（ａ）〜図１２（ｄ）参照）。すなわち、文字選択ボタン５４が押下されると、図１２に示す文字選択画面５１ｄが表示され、この文字選択画面５１ｄ中に表示される複数の文字ボタン群（キーマトリクス）から、所望の文字ボタン「Ｓ」「Ｔ」「Ａ」「Ｒ」を順次押下して選択することで縫製模様としての文字列「ＳＴＡＲ」が選択される。そして、文字の選択が終了し戻るボタンが押下されると、マイクロコンピュータ６は、選択された文字列「ＳＴＡＲ」を液晶ディスプレイ５１に表示される編集画面５１ａの模様表示部５１０に表示する制御を行う（図３参照）。なお、この段階では、選択された文字列が模様表示部５１０内において水平方向に並んで表示される。
【００３７】
次に、マイクロコンピュータ６は、図７に示すように、編集ボタン５５が押下されたか否かの判断を行う（ステップＳ１０２）。編集ボタン５５が押下されると（ステップＳ１０２；Ｙｅｓ）、マイクロコンピュータ６は、液晶ディスプレイ５１の編集画面５１ａ上に編集ボタン５５を拡大表示した拡大画面５１ｂ（図４参照）を表示する制御を行う（ステップＳ１０３）。
ここで、拡大画面５１ｂは、編集ボタン５５と同じ柄のアイコンを拡大表示した図形すなわち、編集ボタン５５と相似の絵柄が表示された画面であり、当該拡大画面５１ｂを表示するためのデータは編集ボタン５５を表示するためのデータとは別に予め記憶部６３に格納されている。
そして、拡大画面５１ｂが表示されると、マイクロコンピュータ６は、該拡大画面５１ｂにおいて実行ボタン５８又は５９が押下されたか否かの判断を行う（ステップＳ１０４）。実行ボタン５８又は５９が押下された場合（ステップＳ１０４；Ｙｅｓ）は、図８のフローチャートに示す編集処理Ａ（後述する）に移行する（ステップＳ１０６）。ステップＳ１０４において実行ボタン５８，５９の操作が検出されない場合（ステップＳ１０４；Ｎｏ）、マイクロコンピュータ６は、戻るボタン５１１が押下されたか否かの判断を行う（ステップＳ１０５）。そして、戻るボタン５１１が押下された場合（ステップＳ１０５；Ｙｅｓ）、マイクロコンピュータ６は、再び編集画面５１ａを表示する。また、戻るボタン５１１が押下されない場合（ステップＳ１０５；Ｎｏ）は、編集ボタン５５が押下されたか否かの判断を行う（ステップＳ１０２）。
【００３８】
ステップＳ１０２において、編集ボタン５５が押下されない場合（ステップＳ１０２；Ｎｏ）、編集ボタン５６が押下されたか否かの判断が行われる（ステップＳ１０７）。編集ボタン５６が押下されると（ステップＳ１０７；Ｙｅｓ）、マイクロコンピュータ６は、液晶ディスプレイ５１の編集画面５１ａ上に編集ボタン５６を拡大表示した拡大画面５１ｃ（図５参照）を表示する制御を行う（ステップＳ１０８）。
拡大画面５１ｃは、上記拡大画面５１ｂと同様に、編集ボタン５６と同じ柄のアイコンを拡大表示した図形すなわち、編集ボタン５６と相似の絵柄が表示された画面であり、当該拡大画面５１ｃを表示するためのデータは編集ボタン５６を表示するためのデータとは別に予め記憶部６３に格納されている。
そして、拡大画面５１ｃが表示されると、マイクロコンピュータ６は、該拡大画面５１ｃにおいて実行ボタン５８ａ又は５９ａが押下されたか否かの判断を行う（ステップＳ１０９）。実行ボタン５８ａ又は５９ａが押下された場合（ステップＳ１０９；Ｙｅｓ）、図９のフローチャートに示す編集処理Ｂ（後述する）に移行する（ステップＳ１１１）。ステップＳ１０９において実行ボタン５８ａ，５９ａの操作が検出されない場合（ステップＳ１０９；Ｎｏ）、マイクロコンピュータ６は、戻るボタン５１１が押下されたか否かの判断を行う（ステップＳ１１０）。戻るボタン５１１が押下された場合（ステップＳ１１０；Ｙｅｓ）、マイクロコンピュータ６は、再び編集画面５１ａを表示する。また、戻るボタン５１１が押下されない場合（ステップＳ１１０；Ｎｏ）は、編集ボタン５６が押下されたか否かの判断を行う（ステップＳ１０７）。
【００３９】
また、図７に示すように、ステップＳ１０７において、編集ボタン５６が押下されない場合（ステップＳ１０７；Ｎｏ）、編集ボタン５７が押下されたか否かの判断が行われる（ステップＳ１１２）。
編集ボタン５７が押下されると（ステップＳ１１２；Ｙｅｓ）、マイクロコンピュータ６は、液晶ディスプレイ５１の編集画面５１ａ上に編集ボタン５７を拡大表示した拡大画面５１ｄ（図６参照）を表示する制御を行う（ステップＳ１１３）。
拡大画面５１ｄは、上記拡大画面５１ｂ及び拡大画面５１ｃと同様に、編集ボタン５７と同じ柄のアイコンを拡大表示した図形すなわち、編集ボタン５７と相似の絵柄が表示された画面であり、当該拡大画面５１ｄを表示するためのデータは編集ボタン５７を表示するためのデータとは別に予め記憶部６３に格納されている。
そして、拡大画面５１ｄが表示されると、マイクロコンピュータ６は、該拡大画面５１ｄにおいて実行ボタン５８ｂ又は５９ｂが押下されたか否かの判断を行う（ステップＳ１１４）。実行ボタン５８ｂ又は５９ｂが押下された場合（ステップＳ１１４；Ｙｅｓ）、編集処理Ｃ（後述する）に移行する（ステップＳ１１６）。ステップＳ１１４において実行ボタン５８ｂ，５９ｂの操作が検出されない場合（ステップＳ１１４；Ｎｏ）、マイクロコンピュータ６は、戻るボタン５１１が押下されたか否かの判断を行う（ステップＳ１１５）。そして、戻るボタン５１１が押下された場合（ステップＳ１１５；Ｙｅｓ）、マイクロコンピュータ６は、再び編集画面５１ａを表示する。また、戻るボタン５１１が押下されない場合（ステップＳ１１５；Ｎｏ）は、編集ボタン５７が押下されたか否かの判断を行う（ステップＳ１１２）。そして、マイクロコンピュータ６は、上記各処理及び判断を繰り返し順次実行する。
【００４０】
次に、図８に示すフローチャートに基づき、図７に示す編集処理Ａの処理動作について説明する。この編集処理Ａでは、ステップＳ１０１において選択された文字列「ＳＴＡＲ」の並び方向を、当該文字列の下方に表示される基準線Ｌ（図１０参照）の中央部を基準に上方又は下方に屈曲させる編集作業が行われる。なお、編集処理Ａが行われる前は、図１０（ａ）に示すように、選択された文字列が水平に配列された状態で模様表示部５１０に表示される。
かかる編集処理Ａに移行すると、マイクロコンピュータ６は、実行ボタン５８として割り当てられた領域（図４参照）が押下されたか否かの判断を行う（ステップＳ２０１）。本実施形態では、実行ボタン５８が一回押下される毎に、文字列の下方に表示される基準線Ｌの中央部を基準に左右両側をそれぞれ所定の角度θ1(例えば、θ1＝１０°，２０°・・・等)だけ上方に屈曲させる処理が行われる（図１０（ａ）〜図１０（ｅ）参照）。そして、実行ボタン５８が押下されると（ステップＳ２０１；Ｙｅｓ）、マイクロコンピュータ６は、一回の屈曲で加える所定の角度θ1を加算した後の累積角度θが、屈曲の限界値である所定の角度θ２を超えない範囲（θ≦θ２）であるか否かの判断を行う（ステップＳ２０２）。そして、累積角度θがθ２を超えない範囲（θ≦θ２）である場合（ステップＳ２０２；Ｙｅｓ）、マイクロコンピュータ６は、文字列の中心を基準にして所定角度θ1を加算して左右両側を上方に屈曲させた仮想直線Ｌ１を演算し、該仮想直線Ｌ１を模様表示部５１０に表示する処理を行う（ステップＳ２０３）と共に、上記仮想直線Ｌ１に沿って再配列した文字列を模様表示部５１０に再表示（図１０（ｂ）参照）する処理を行う（ステップＳ２０４）。その後、マイクロコンピュータ６は、戻るボタン５１１が押下されたか否かの判断を行う（ステップＳ２０５）。戻るボタン５１１が押下された場合（ステップＳ２０５；Ｙｅｓ）、マイクロコンピュータ６は、編集処理Ａを終了して図７に示すステップＳ１０４に再び移行する。戻るボタン５１１が押下されない場合（ステップＳ２０５；Ｎｏ）は、再び実行ボタン５８が押下されたか否かの判断を行う（ステップＳ２０１）。
ステップＳ２０２において、累積角度θがθ２を超える（θ＞θ２）場合（ステップＳ２０２；Ｎｏ）、マイクロコンピュータ６は、ステップＳ２０１で押下された実行ボタン５８の操作を無効とし（ステップＳ２０６）、新たにθ1を加算する演算処理を実行することなく、戻るボタン５１１が押下されたか否かの判断に移行する（ステップＳ２０５）。つまり、上記ステップＳ２０６により、例えば、ステップＳ２０２におけるθ２の値を、何れかの文字の針落ち同士が重複しないようにすることで、各文字すなわち模様同士の重複が防止される。
【００４１】
ステップＳ２０１において、実行ボタン５８が押下されたことが検出されない場合（ステップＳ２０１；Ｎｏ）、マイクロコンピュータ６は、実行ボタン５９として割り当てられた領域（図４参照）が押下されたか否かの判断を行う（ステップＳ２０７）。本実施形態では、実行ボタン５９が一回押下される毎に、文字列の下方に表示される基準線Ｌの中央部を基準に左右両側をそれぞれ所定の角度θ1(例えば、θ1＝１０°，２０°・・・等)だけ下方に屈曲させる処理が行われる（図１０（ｆ）〜図１０（ｇ）参照）。つまり、実行ボタン５９を押下した際には、上記実行ボタン５８と逆の編集作業が行われる。
そして、実行ボタン５９が押下されると（ステップＳ２０７；Ｙｅｓ）、マイクロコンピュータ６は、一回の屈曲で減じる所定の角度θ1を減算した後の累積角度θが、屈曲の限界値である所定の角度θ２を超えない範囲（θ≦θ２）であるか否かの判断を行う（ステップＳ２０８）。そして、累積角度θがθ２を超えない範囲（θ≦θ２）である場合（ステップＳ２０８；Ｙｅｓ）、マイクロコンピュータ６は、文字列の中心を基準にして所定角度θ1を減算して下方に屈曲させた仮想直線Ｌ１を演算し、該仮想直線Ｌ１を模様表示部５１０に表示する処理を行う（ステップＳ２０９）と共に、上記仮想直線Ｌ１に沿って再配列した文字列を模様表示部５１０に再表示（図１０（ｆ）参照）する処理を行う（ステップＳ２１０）。そして、戻るボタン５１１が押下されたか否かの判断に移行する（ステップＳ２０５）。また、ステップＳ２０８において、累積角度θがθ２を超える（θ＞θ２）場合（ステップＳ２０８；Ｎｏ）、マイクロコンピュータ６は、ステップＳ２０７における実行ボタン５９の操作を無効とし（ステップＳ２１１）、新たにθ1を減ずる演算処理を実行することなく、戻るボタン５１１が押下されたか否かの判断に移行する（ステップＳ２０５）。また、ステップＳ２０７において、実行ボタン５９が押下されない場合（ステップＳ２０７；Ｎｏ）も、ステップＳ２０５に移行することとなる。そして、マイクロコンピュータ６は、上記各処理及び判断を繰り返し順次実行する。なお、図１０（ｇ）は、実行ボタン５９が２回押下された際に表示される文字列の状態を示す。
【００４２】
次に、図９に示すフローチャートに基づき、図７に示す編集処理Ｂの処理動作について説明する。この編集処理Ｂでは、ステップＳ１０１において選択された文字列「ＳＴＡＲ」の並び方向の傾斜角度を、当該文字列の下方に表示される基準線Ｌの右端を中心に変更（回転）させる編集作業が行われる。なお、編集処理Ｂが行われる前は、図１０（ａ）に示すように、選択された文字列が水平に配列された状態で模様表示部５１０に表示される。
かかる編集処理Ｂに移行すると、マイクロコンピュータ６は、実行ボタン５８ａが押下されたか否かの判断を行う（ステップＳ３０１）。本実施形態では、実行ボタン５８ａが一回押下される毎に、文字列の下方に表示される基準線Ｌの右端を中心に所定の角度θ1 (例えば、θ1＝１０°，２０°・・・等)だけ時計周り方向に変更（回転）させる処理が行われる（図１１（ａ）〜図１１（ｂ）参照）。そして、実行ボタン５８ａが押下されると（ステップＳ３０１；Ｙｅｓ）、一回の変更を行った後の文字列における全ての針落ちのＸＹ座標が、刺繍枠によって定まる上述した縫製可能領域Ｍ（図１１（ｃ）参照）内に納まるか否かを判断する（ステップＳ３０２）。そして、縫製可能領域Ｍ内に納まる場合（ステップＳ３０２；Ｙｅｓ）、マイクロコンピュータ６は、文字列の右端を中心に所定角度θを加算して時計周り方向に回転させた仮想直線Ｌ２を模様表示部５１０に表示する処理を行う（ステップＳ３０３）と共に、この仮想直線Ｌ２に沿って再配列した文字列を模様表示部５１０に再表示する処理を行う（ステップＳ３０４）。その後、マイクロコンピュータ６は、戻るボタン５１１が押下されたか否かの判断を行う（ステップＳ３０５）。戻るボタン５１１が押下された場合（ステップＳ３０５；Ｙｅｓ）、マイクロコンピュータ６は、編集処理Ｂを終了して図７に示すステップＳ１０９に再び移行する。戻るボタン５１１が押下されない場合（ステップＳ３０５；Ｎｏ）は、再び実行ボタン５８ａが押下されたか否かの判断に移行する（ステップＳ３０１）。
ステップＳ３０２において、変更後の文字列における全ての針落ちが縫製可能領域Ｍ内に納まらない場合（ステップＳ３０２；Ｎｏ）、すなわち、文字列を構成する何れかの文字の針落ちのＸＹ座標が縫製可能領域Ｍ内に納まらない場合、マイクロコンピュータ６は、ステップＳ３０１で押下された実行ボタン５８の操作を無効とし（ステップＳ３０６）、新たにθ1を加算する演算処理を実行することなく、戻るボタン５１１が押下されたか否かの判断に移行する（ステップＳ３０５）。
【００４３】
ステップＳ２０１において、実行ボタン５８ａが押下されたことが検出されない場合（ステップＳ３０１；Ｎｏ）、マイクロコンピュータ６は、実行ボタン５９ａが押下されたか否かの判断を行う（ステップＳ３０７）。本実施形態では、実行ボタン５９ａが一回押下される毎に、文字列の下方に表示される基準線Ｌの右端を基準に所定の角度θ1 (例えば、θ1＝１０°，２０°・・・等)だけ反時計回り方向に回転させる処理が行われる。つまり、実行ボタン５９ａを押下した際には、実行ボタン５８ａと逆の編集作業が行われる。
そして、実行ボタン５９ａが押下されると（ステップＳ３０７；Ｙｅｓ）、マイクロコンピュータ６は、一回の変更（回転）で減じる所定の角度θ1を減算した後の文字列における全ての針落ちが、縫製可能領域Ｍ内であるか否かの判断を行う（ステップＳ３０８）。そして、縫製可能領域Ｍ内である場合（ステップＳ３０８；Ｙｅｓ）、マイクロコンピュータ６は、文字列の下方に表示される基準線Ｌの右端を基準にして所定角度θ1を減算して反時計周り方向に回転させた仮想直線Ｌ２を演算し、該仮想直線Ｌ２を模様表示部５１０に表示する処理を行う（ステップＳ３０９）と共に、上記仮想直線Ｌ２に沿って再配列した文字列を模様表示部５１０に再表示する処理を行う（ステップＳ３１０）。そして、戻るボタン５１１が押下されたか否かの判断に移行する（ステップＳ３０５）。また、ステップＳ３０８において、変更後の文字列における全ての針落ちが縫製可能領域Ｍ内には納まらない場合（ステップＳ３０８；Ｎｏ）、マイクロコンピュータ６は、ステップＳ３０７における実行ボタン５９ａの操作を無効とし（ステップＳ３１１）、新たにθ1を減ずる演算処理を実行することなく、戻るボタン５１１が押下されたか否かの判断に移行する（ステップＳ３０５）。また、ステップＳ３０７において、実行ボタン５９ａが押下されない場合（ステップＳ３０７；Ｎｏ）も、ステップＳ３０５に移行することとなる。そして、マイクロコンピュータ６は、上記各処理及び判断を繰り返し順次実行する。
【００４４】
図７に示す編集処理Ｃの処理動作について説明すると、この編集処理Ｃでは、ステップＳ１０１において選択された文字列「ＳＴＡＲ」の並び方向の傾斜角度を、当該文字列の下方に表示される基準線Ｌの左端を中心に変更（回転）させる編集作業が行われる（図６参照）。かかる編集処理Ｃは、基準線Ｌの左端を中心に傾斜角度を変更（回転）する他は上述した編集処理Ｂと同様に行われる。つまり、実行ボタン５８ｂが押下されると、マイクロコンピュータ６は、基準線Ｌの左端を中心に所定角度θ１だけ反時計周り方向に回転した仮想直線（Ｌ３）を表示すると共に、該仮想直線（Ｌ３）に沿って再配列した文字列を模様表示部５１０に再表示する処理を行う。また、実行ボタン５９ｂが押下された場合は、上記実行ボタン５８ｂと逆の編集作業が実行される。
【００４５】
（実施形態の効果）
以上のように、本実施形態たるミシン１によれば、編集ボタン５５〜５７が押下されると、当該各編集ボタン５５〜５７を拡大表示した拡大画面５１ｂ、５１ｃ、５１ｄが表示されるため、縫製模様の編集における操作性を向上することができる。また、拡大画面５１ｂ、５１ｃ、５１ｄは、編集画面５１ａと同一の画面上に表示されるため、全体の編集状況を容易に把握することができる。また、表示画面たる液晶ディスプレイ５１の表示エリアを有効に使用するため、コストの低減が図られる。また、拡大画面５１ｂ、５１ｃ、５１ｄには、該拡大画面５１ｂ、５１ｃ、５１ｄ中の実行ボタン５８，５８ａ，５８ｂ，５９，５９ａ，５９ｂを押下した際の機能を説明する説明文を表示するため、編集操作を行う作業者の操作性をさらに向上することができる。
【００４６】
（その他）
なお、上述したように、本実施形態では模様には文字を含むものとし、模様列には文字列を含むものとする。
また、編集ボタン５５，５６，５７の編集機能や、各実行ボタン５８，５８ａ，５８ｂ，５９，５９ａ，５９ｂの機能を示す説明文は、各拡大画面５１ｂ、５１ｃ、５１ｄの上方及び下方に表示することとしたが、これに限定されるものではなく、例えば、各拡大画面５１ｂ、５１ｃ、５１ｄの左右に表示することとしてもよい。
また、本実施形態では、縫製模様として「ＳＴＡＲ」の４文字すなわち偶数個の文字からなる文字列を例に挙げて説明したが、例えば、５文字、７文字等、奇数個の文字からなる文字列を縫製模様とする場合には、編集処理Ａにおいて屈曲又は湾曲させる際の中心を本実施形態同様に文字列の中央部としてもよく、また、左右何れかにオフセットさせることとしてもよい。
また、上記説明文は、各編集ボタン５５，５６，５７の機能或いは実効ボタンの機能を説明する適当な文言とすることができることは言うまでもない。
また、本実施形態では、編集処理Ａにより、基準線Ｌの中央部を基準に左右両側を所定角度θ１ずつ上方又は下方に屈曲することとしているが、基準線Ｌの中央部を基準に所定量ずつ上方又は下方に湾曲させることとしてもよい。
【図面の簡単な説明】
【００４７】
【図１】本発明を適用した実施形態の刺繍ミシンを示した正面図である。
【図２】上記刺繍ミシンの構成を示したブロック図である。
【図３】本実施形態における編集画面を示す説明図である。
【図４】本実施形態における編集ボタン及び拡大画面を示す説明図である。
【図５】本実施形態における編集ボタン及び拡大画面を示す説明図である。
【図６】本実施形態における編集ボタン及び拡大画面を示す説明図である。
【図７】上記刺繍ミシンに備わるマイクロコンピュータによる処理を示したフローチャートである。
【図８】図７における編集処理Ａにおける動作処理を示すフローチャートである。
【図９】図７における編集処理Ｂにおける動作処理を示すフローチャートである。
【図１０】編集処理Ａによる編集動作を示す動作説明図である。
【図１１】編集処理Ｂによる編集動作を示す動作説明図である。
【図１２】文字選択画面（アルファベット）を示す概略図である。
【図１３】文字選択画面（ひらがな）を示す概略図である。
【符号の説明】
【００４８】
１  刺繍ミシン（ミシン）
５  操作パネル（表示手段）
６  マイクロコンピュータ（表示制御手段）
１１  ミシンベッド
１２  ミシン胴部
１３  ミシンアーム
１３ａ  ミシン頭部
１４  縫い針
１５  針駆動機構
１６  布押さえ
１７  刺繍枠
１８  枠移動機構
２０  起動／停止スイッチ（Ｓ／Ｓスイッチ）
２１  返し縫いスイッチ
２２  糸切りスイッチ
２３  スライドボリューム
２４  ミシンモータ
２５  キャリッジ
２６  Ｘ軸モータ
２８  Ｙ軸モータ
２９  刺繍枠センサ
５１  液晶ディスプレイ（表示画面）
５１ａ  編集画面
５１ｂ，５１ｃ，５１ｄ  拡大画面
５１０  模様表示部
５１１  戻るボタン
５２  タッチパネル（模様選択手段）
５３  模様選択ボタン
５４  文字選択ボタン
５５，５６，５７  編集ボタン
５８，５８ａ，５８ｂ，５９，５９ａ，５９ｂ  実行ボタン
６３  記憶部
【図１】
2007282780.tif 000003
【図２】
2007282780.tif 000004
【図３】
2007282780.tif 000005
【図４】
2007282780.tif 000006
【図５】
2007282780.tif 000007
【図６】
2007282780.tif 000008
【図７】
2007282780.tif 000009
【図８】
2007282780.tif 000010
【図９】
2007282780.tif 000011
【図１０】
2007282780.tif 000012
【図１１】
2007282780.tif 000013
【図１２】
2007282780.tif 000014
【図１３】
2007282780.tif 000015